(57)【要約】【課題】発信者番号非通知の着信に対する折り返しの発信を可能にすること。【解決手段】他装置と通信を行う通信部と、発信者番号非通知に設定された発信を前記通信部が行い、該発信により通話が成立しなかった場合に、自機の電話番号を認識可能な情報を送信するように前記通信部を制御する制御部と、を備える電話機。【選択図】図７
2014158107.tif 000002
【特許請求の範囲】
【請求項１】
他装置と通信を行う通信部と、
発信者番号非通知に設定された発信を前記通信部が行い、該発信により通話が成立しなかった場合に、自機の電話番号を認識可能な情報を送信するように前記通信部を制御する制御部と、
を備える電話機。
【請求項２】
請求項１記載の電話機であって、
前記制御部は、前記自機の電話番号を認識可能な情報を、発信先の電話機に送信するように前記通信部を制御する、
電話機。
【請求項３】
請求項１記載の電話機であって、
前記制御部は、前記自機の電話番号を認識可能な情報を、自機および発信先の電話機と通信可能なサーバ装置に送信するように前記通信部を制御する、
電話機。
【請求項４】
請求項１から３のうちいずれか１項記載の電話機であって、
情報を出力する情報出力部と、
ユーザの操作を受け付ける操作部と、を備え、
前記制御部は、前記自機の電話番号を認識可能な情報を発信先の電話機に送信するか否かをユーザに問い合わせる内容の出力を前記情報出力部に行わせ、前記操作部に対するユーザの応答に基づいて、前記自機の電話番号を認識可能な情報を発信先の電話機に送信するか否かを決定する、
電話機。
【請求項５】
請求項１から４のうちいずれか１項記載の電話機であって、
情報を出力する情報出力部と、
ユーザの操作を受け付ける操作部と、を備え、
前記制御部は、前記自機の電話番号を認識可能な情報を送信する際に、自機の電話番号を発信先の電話機が表示することを許可するか否かをユーザに問い合わせる内容の出力を前記情報出力部に行わせ、前記操作部に対するユーザの応答に基づいて、前記自機の電話番号を発信先の電話機が表示することを許可するか否かを示す制御信号を送信するように前記通信部を制御する、
電話機。
【請求項６】
他装置と通信を行う通信部と、
ユーザの操作を受け付ける操作部と、
前記通信部に対して発信者番号非通知に設定された着信があった場合に、前記操作部に対するユーザの操作に応じて、前記通信部を介して取得された発信元の電話機の電話番号を認識可能な情報を用いて前記発信者番号非通知に設定された着信に対する発信を行うように前記通信部を制御する制御部と、
を備える電話機。
【請求項７】
請求項６記載の電話機であって、
前記制御部は、前記操作部に対するユーザの操作に応じて、自機および発信元の電話機と通信可能なサーバ装置に対して、前記発信元の電話機の電話番号を認識可能な情報の送信を依頼する信号を送信するように前記通信部を制御する、
電話機。
【請求項８】
請求項６または７記載の電話機であって、
ユーザに情報提供する情報提供部を備え、
前記制御部は、前記発信者番号非通知に設定された着信に対する発信を前記通信部に行わせる際に、前記発信元の電話機の電話番号に関してユーザに情報提供せずに発信を行うように前記情報提供部を制御する、
電話機。
【請求項９】
請求項６または７記載の電話機であって、
ユーザに情報提供する情報提供部を備え、
前記制御部は、前記発信者番号非通知に設定された着信に対する発信を前記通信部に行わせる際に、前記発信元の電話機の電話番号を認識可能な情報に付随して前記発信元の電話機から取得した制御信号に基づいて、前記発信元の電話機の電話番号に関して前記情報提供部によりユーザに情報提供するか否かを決定する、
電話機。
【請求項１０】
電話機に、
発信者番号非通知に設定された発信により通話が成立したか否かを判定させ、
前記通話が成立しなかったときに、自機の電話番号を認識可能な情報を送信させる、
電話機の制御プログラム。
【請求項１１】
電話機に、
発信者番号非通知に設定された着信があったときに、発信元の電話機の電話番号を認識可能な情報を取得させ、
該取得した情報を用いて前記発信者番号非通知に設定された着信に対する発信を行わせる、
電話機の制御プログラム。
【請求項１２】
電話機と通信を行う通信部と、
電話機間で発信者番号非通知に設定された発信により通話が成立しなかったときに、発信先の電話機からの依頼に応じて、発信元の電話機から取得した該発信元の電話番号を認識可能な情報を送信するように前記通信部を制御する制御部と、
を備えるサーバ装置。
【請求項１３】
第１の電話機が発信者番号非通知に設定された発信を第２の電話機に対して行い、該発信により通話が成立しなかったときに、
前記第１の電話機が、前記第１の電話機および前記第２の電話機と通信可能なサーバ装置に、前記第１の電話機の電話番号を認識可能な情報を送信し、
前記サーバ装置が、前記第２の電話機からの依頼に応じて、前記第１の電話機の電話番号を認識可能な情報を前記第２の電話機に送信し、
前記第２の電話機が、前記サーバ装置から受信した情報を用いて前記第１の電話機に折り返しの発信を行う、
電話システムの制御方法。
【発明の詳細な説明】
【技術分野】
【０００１】
本発明は、電話機、電話機の制御プログラム、サーバ装置、および電話システムの制御方法に関する。
【背景技術】
【０００２】
従来、発信者番号非通知に設定した状態で、自機の電話番号を通知せずに発信することが可能な電話機が広く普及している（例えば、特許文献１参照）。
【先行技術文献】
【特許文献】
【０００３】
【特許文献１】特開２０１２−１４７０６３号公報
【発明の概要】
【発明が解決しようとする課題】
【０００４】
従来の電話機では、発信者番号非通知の設定で着信があった場合には、着信側の電話機の着信履歴に発信側の電話番号が表示されず、着信側から折り返しの電話をかけることができないという問題があった。
【０００５】
本発明は、このような事情を考慮してなされたものであり、発信者番号非通知の着信に対する折り返しの発信を可能にすることを目的の一つとする。
【課題を解決するための手段】
【０００６】
本発明の一態様は、他装置と通信を行う通信部と、発信者番号非通知に設定された発信を前記通信部が行い、該発信により通話が成立しなかった場合に、自機の電話番号を認識可能な情報を送信するように前記通信部を制御する制御部と、を備える電話機である。
本発明の一態様において、前記制御部は、前記自機の電話番号を認識可能な情報を、発信先の電話機に送信するように前記通信部を制御するものとしてもよい。
本発明の一態様において、前記制御部は、前記自機の電話番号を認識可能な情報を、自機および発信先の電話機と通信可能なサーバ装置に送信するように前記通信部を制御するものとしてもよい。
本発明の一態様において、情報を出力する情報出力部と、ユーザの操作を受け付ける操作部と、を備え、前記制御部は、前記自機の電話番号を認識可能な情報を発信先の電話機に送信するか否かをユーザに問い合わせる内容の出力を前記情報出力部に行わせ、前記操作部に対するユーザの応答に基づいて、前記自機の電話番号を認識可能な情報を発信先の電話機に送信するか否かを決定するものとしてもよい。
本発明の一態様において、情報を出力する情報出力部と、ユーザの操作を受け付ける操作部と、を備え、前記制御部は、前記自機の電話番号を認識可能な情報を送信する際に、自機の電話番号を発信先の電話機が表示することを許可するか否かをユーザに問い合わせる内容の出力を前記情報出力部に行わせ、前記操作部に対するユーザの応答に基づいて、前記自機の電話番号を発信先の電話機が表示することを許可するか否かを示す制御信号を送信するように前記通信部を制御するものとしてもよい。
本発明の他の態様は、他装置と通信を行う通信部と、ユーザの操作を受け付ける操作部と、前記通信部に対して発信者番号非通知に設定された着信があった場合に、前記操作部に対するユーザの操作に応じて、前記通信部を介して取得された発信元の電話機の電話番号を認識可能な情報を用いて前記発信者番号非通知に設定された着信に対する発信を行うように前記通信部を制御する制御部と、を備える電話機である。
本発明の他の態様において、前記制御部は、前記操作部に対するユーザの操作に応じて、自機および発信元の電話機と通信可能なサーバ装置に対して、前記発信元の電話機の電話番号を認識可能な情報の送信を依頼する信号を送信するように前記通信部を制御するものとしてもよい。
本発明の他の態様において、ユーザに情報提供する情報提供部を備え、前記制御部は、前記発信者番号非通知に設定された着信に対する発信を前記通信部に行わせる際に、前記発信元の電話機の電話番号に関してユーザに情報提供せずに発信を行うように前記情報提供部を制御するものとしてもよい。
本発明の他の態様において、ユーザに情報提供する情報提供部を備え、前記制御部は、前記発信者番号非通知に設定された着信に対する発信を前記通信部に行わせる際に、前記発信元の電話機の電話番号を認識可能な情報に付随して前記発信元の電話機から取得した制御信号に基づいて、前記発信元の電話機の電話番号に関して前記情報提供部によりユーザに情報提供するか否かを決定するものとしてもよい。
本発明の他の態様は、電話機に、発信者番号非通知に設定された発信により通話が成立したか否かを判定させ、前記通話が成立しなかったときに、自機の電話番号を認識可能な情報を送信させる、電話機の制御プログラムである。
本発明の他の態様は、電話機に、発信者番号非通知に設定された着信があったときに、発信元の電話機の電話番号を認識可能な情報を取得させ、該取得した情報を用いて前記発信者番号非通知に設定された着信に対する発信を行わせる、電話機の制御プログラムである。
本発明の他の態様は、電話機と通信を行う通信部と、電話機間で発信者番号非通知に設定された発信により通話が成立しなかったときに、発信先の電話機からの依頼に応じて、発信元の電話機から取得した該発信元の電話番号を認識可能な情報を送信するように前記通信部を制御する制御部と、を備えるサーバ装置である。
本発明の他の態様は、第１の電話機が発信者番号非通知に設定された発信を第２の電話機に対して行い、該発信により通話が成立しなかったときに、前記第１の電話機が、前記第１の電話機および前記第２の電話機と通信可能なサーバ装置に、前記第１の電話機の電話番号を認識可能な情報を送信し、前記サーバ装置が、前記第２の電話機からの依頼に応じて、前記第１の電話機の電話番号を認識可能な情報を前記第２の電話機に送信し、前記第２の電話機が、前記サーバ装置から受信した情報を用いて前記第１の電話機に折り返しの発信を行う、電話システムの制御方法である。
【発明の効果】
【０００７】
本発明の一態様によれば、発信者番号非通知の着信に対する折り返しの発信を可能にすることができる。
【図面の簡単な説明】
【０００８】
【図１】第１実施形態に係る電話機１―Ａおよび１―Ｂの通信環境を示す図である。
【図２】第１実施形態の端末装置１の機能構成の一例を示す構成図である。
【図３】発信者番号非通知であることを示す情報を含む、着信履歴記憶部５４に記憶された情報の一例を示す図である。
【図４】折り返し発信用情報を着信側の電話機１に送信するか否かを問い合わせる表示画面の一例である。
【図５】自機の電話番号を着信側の電話機１がそのユーザに表示するか否かを問い合わせる表示画面の一例である。
【図６】着信履歴記憶部５４に記憶された着信履歴から折り返し発信用情報記憶部５６が検索され、発信側の電話機１の電話番号が特定される様子を模式的に示す図である。
【図７】本実施形態の電話機によって発信者番号非通知の発信に対する折り返し発信が実現される際の処理の流れを示すシーケンス図である。
【図８】第２実施形態に係る電話機２―Ａおよび２―Ｂの通信環境を示す図である。
【図９】第２実施形態の電話機、およびサーバ装置９０によって発信者番号非通知の発信に対する折り返し発信が実現される際の処理の流れを示すシーケンス図である。
【発明を実施するための形態】
【０００９】
以下、図面を参照し、本発明の電話機、電話機の制御プログラム、サーバ装置、および電話システムの制御方法の実施形態について説明する。本発明の電話機は、例えば、スマートフォンなどの携帯電話である。また、これに限らず、本発明の電話機は、固定電話、電話機能付きタブレット端末、電話機能付きパーソナルコンピュータなど、種々の電子機器に適用することができる。なお、以下では、携帯電話である電話機の音声通信機能についてのみ説明するが、電話機はＩＰ（Internet   Protocol）通信機能に基づく電子メールの送受信機能、インターネット接続機能などを有してもよい。
【００１０】
＜第１実施形態＞
［概要］
以下、第１実施形態に係る電話機等について説明する。図１は、第１実施形態に係る電話機１―Ａおよび１―Ｂの通信環境を示す図である。電話機１―Ａ、１―Ｂは、無線基地局８０や交換機８５などを介して、互いに通話を行うことができ、更に他の電話機との間で通話を行うことができる。交換機８５は、ＰＢＸ（Private Branch eXchange、構内交換機）を含んでよい。以下、電話機１―Ａおよび１―Ｂのいずれの電話機であるかを区別しないときは、単に電話機１と表記して説明する。
【００１１】
図２は、第１実施形態の端末装置１の機能構成の一例を示す構成図である。端末装置１は、例えば、無線通信部１０と、通話部２０と、スピーカ２２と、マイクロフォン２４と、操作部３０と、表示部３２と、ＤＴＭＦ判定部４０と、制御部４２と、記憶部５０とを備える。
【００１２】
無線通信部１０は、送受信アンテナや符号化部、復号部などを備え、無線基地局８０との間で無線通信を行う。通話部２０は、例えばＡ／Ｄ変換器やＤ／Ａ変換器を備え、無線通信部１０から入力された信号を音声信号に変換してスピーカ２２に出力させたり、マイクロフォン２４が集音した音に基づく音声信号を無線通信用の信号に変換して無線通信部１０に出力したりする。
【００１３】
操作部３０と表示部３２は、例えばタッチパネルとして一体に構成される。また、操作部３０は、ボタンやスイッチなどを含んでもよい。操作部３０に対して行われたユーザの操作は制御部４２に出力され、表示部３２の表示内容は制御部４２によって決定される。
【００１４】
ＤＴＭＦ判定部４０は、通話部２０が入出力する音声に、ＤＴＭＦ信号が含まれるか否かを判定する。ＤＴＭＦ信号は、低群周波数と高群周波数の中からそれぞれ１つの周波数を選択し、低群周波数の正弦波と高群周波数の正弦波とを合成して出力される、音声帯域の周波数を有する信号（音声信号）である。ＤＴＭＦ信号は「０」〜「９」の数字と「＊」「＃」「Ａ」「Ｂ」「Ｃ」「Ｄ」という１６種類の信号を表すことができる。端末装置１では、例えば、これらの中の「Ａ」「Ｂ」「Ｃ」「Ｄ」を除いた１２種類（「０」〜「９」の数字と「＊」「＃」）を取り扱う。ユーザが上記１２種類のキーをタッチまたは押下すると、これに対応した周波数を合成したＤＴＭＦ信号が生成され、通話相手の電話機に送信される。
【００１５】
ＤＴＭＦ判定部４０は、例えば、入力された音声信号の一定時間分のデータに対して、互いに異なる周波数の成分について離散フーリエ変換（ＤＦＴ）を行い、これによって、ＤＴＭＦ信号で使用される各周波数成分の強度を検出する。ＤＴＭＦ判定部４０は、検出された各周波数成分の強度から、ＤＴＭＦ信号を受信したか否かを判定すると共に、受信したＤＴＭＦ信号の種類を判別して、制御部４２に出力する。
【００１６】
制御部４２は、発着信制御を行う。例えば、ユーザが他機からの着信に対して応答する操作を操作部３０に対して行うと、無線通信部１０および通話部２０を制御して他機との通話を成立させる。また、ユーザが図示しない電話帳を操作して選択した電話番号、発信履歴記憶部５２や着信履歴記憶部５４に登録された電話番号、或いは直接入力した電話番号について発信操作を操作部３０に対して行うと、無線通信部１０を制御して電話の発信を行う。制御部４２は、電話機１が過去に発信した発信先の電話番号を、発信時刻と共に発信履歴記憶部５２に記憶させる。また、制御部４２は、電話機１が過去に着信した発信元の電話番号を、時刻と共に着信履歴記憶部５４に記憶させる。
【００１７】
また、制御部４２は、電話機１が電話の発信を行う際に、発信者番号非通知に設定して発信するか、発信者番号通知に設定して発信するかを決定する。発信者番号非通知の設定は、例えば、予め全ての発信に対して発信者番号非通知にするか、発信者番号通知にするかが、ユーザにより設定される（全くユーザが操作しなければ初期設定のままである）。そして、発信の度に、ユーザが所定の特番（「１８４」や「１８６」）を付加すると、上記の設定に拘わらず、いずれの設定で発信するかを変更できるようになっている。
【００１８】
発信者番号非通知に設定された発信については、例えば、交換機８５において発信側の電話機１の電話番号が削除された上で、着信側の電話機１に送信される。このため、着信側の電話機１の着信履歴記憶部５４には、例えば、発信者番号非通知であることを示す情報と着信時刻との組み合わせが１レコードとして記憶される。図３は、発信者番号非通知であることを示す情報を含む、着信履歴記憶部５４に記憶された情報の一例を示す図である。ユーザが電話帳の画面を表示部３２に表示させると、発信者番号非通知でないレコードについては電話番号（電話帳に登録されていれば発信者の氏名等）と着信時刻の組み合わせが、発信者番号非通知であるレコードについては「非通知設定」などのタイトルと時刻の組み合わせが表示される。
【００１９】
［発信側の制御］
発信者番号非通知で発信を行った発信側の電話機１は、その発信により通話が成立しなかった場合に（例えば不在通知を受けた場合、または自ら発信がタイムアウトしたと判定した場合）、自機の電話番号を認識可能な情報（以下、「折り返し発信用情報」と称する）を着信側の電話機１に送信する。
【００２０】
発信側の制御部４２は、折り返し発信用情報を着信側の電話機１に送信するか否かを問い合わせる表示を表示部３２に行わせ、これに対するユーザの応答に基づいて、折り返し発信用情報を着信側の電話機１に送信するか否かを決定する。図４は、折り返し発信用情報を着信側の電話機１に送信するか否かを問い合わせる表示画面の一例である。図４に示す表示画面において、ボタンＡがタッチされると、折り返し発信用情報が着信側の電話機１に送信される。一方、ボタンＢがタッチされると、折り返し発信用情報は送信されない。なお、発信側の電話機１は、このような問い合わせを行わず、固定設定により（必ず送信する）、或いは設定維持により（一度設定されると、設定変更されるまで送信するか否かを切り替えない）、折り返し発信用情報を着信側の電話機１に送信してもよい。
【００２１】
折り返し発信用情報は、例えば、発信側の電話機１の電話番号と、通話が成立しなかった発信の発信時刻とを含む情報である。折り返し発信用情報は、例えば、前述したＤＴＭＦ信号で生成される。ＤＴＭＦ信号は、図１に示す音声通信ネットワークで送受信可能であるため、これを用いることにより、改めてＩＰ通信を確立する必要がなくなり、好適である。
【００２２】
また、発信側の制御部４２は、折り返し発信用情報を着信側の電話機１に送信するにあたって、自機の電話番号を、着信側の電話機１がそのユーザに表示することを許可するか否かを問い合わせる表示を表示部３２に行わせる。そして、発信側の制御部４２は、これに対するユーザの応答に基づいて、自機の電話番号を着信側の電話機１がそのユーザに表示することを許可するか否かを示す制御信号（以下、「表示可否信号」と称する）を、着信側の電話機１に送信する。なお、このような問い合わせ、および表示可否信号の送信を省略し、自機の電話番号を着信側の電話機１がそのユーザに表示することを禁止してもよい。
【００２３】
図５は、自機の電話番号を着信側の電話機１がそのユーザに表示するか否かを問い合わせる表示画面の一例である。図５に示す表示画面は、例えば図４に示す表示画面においてボタンＡがタッチされた後に表示される。図５に示す表示画面において、ボタンＣがタッチ操作されると、表示を許可する信号「１」が表示可否信号として着信側の電話機１に送信される。一方、図５に示す表示画面において、ボタンＤがタッチされると、表示を許可しない信号「０」が表示許可信号として着信側の電話機１に送信される。
【００２４】
［着信側の制御］
発信者番号非通知の着信を受けた着信側の電話機１は、上記のように発信側の電話機１から取得した折り返し発信用情報を用いて、発信者番号非通知に設定された着信に対する発信を行う。まず、着信側の電話機１は、取得した折り返し発信用情報を、折り返し発信用情報記憶部５６に記憶させる。そして、着信側の制御部４２は、ユーザにより着信履歴の「非通知設定」の欄が選択されて発信操作が行われると、当該「非通知設定」に対応付られた着信時刻を用いて折り返し発信用情報記憶部５６を検索し、着信時刻と発信時刻が合致する（タイムラグを考慮して、一定範囲内であるとしてもよい）電話番号を取得して、その電話番号に発信を行う。図６は、着信履歴記憶部５４に記憶された着信履歴から折り返し発信用情報記憶部５６が検索され、発信側の電話機１の電話番号が特定される様子を模式的に示す図である。なお、折り返し発信用情報には、表示可否信号が対応付けられて記憶されてよい。
【００２５】
この際に、着信側の電話機１は、発信側の電話機１から受信した表示可否信号に基づいて、発信する電話番号を表示部３２に表示させるか否かを決定する。例えば、着信側の電話機１は、表示可否信号が表示を許可しない「０」である場合には、発信する電話番号を表示部３２に表示させず、表示可否信号が表示を許可する「１」である場合には、発信する電話番号を表示部３２に表示させる。なお、これに限らず、「非通知設定」に対する折り返し発信をする際には、発信する電話番号を表示部３２に表示させないものとしてもよい。
【００２６】
［処理シーケンス］
図７は、本実施形態の電話機によって発信者番号非通知の発信に対する折り返し発信が実現される際の処理の流れを示すシーケンス図である。以下の説明では、電話機１―Ａが当初発信側の電話機であり、電話機１―Ｂが当初着信側の電話機であるものとする。なお、図７では、電話機１―Ａと電話機１―Ｂの通信を中継する交換機８５などの存在を省略している。
【００２７】
まず、電話機１―Ａが、発信者番号非通知で電話機１―Ｂに電話の発信を行う（ステップＳ１００）。これに対して電話機１―Ｂのユーザが応答操作を行わず、タイムアウトすると（ステップＳ１０２）、電話機１―Ｂは、例えば不在通知を電話機１―Ａに送信する（ステップＳ１０４）。なお、これに代えて、発信側の電話機１―Ａにおいてタイムアウトを判定してもよい。
【００２８】
不在通知を受信すると、電話機１―Ａは、折り返し発信用情報と表示可否信号とを電話機１―Ｂに送信する（ステップＳ１０６）。電話機１―Ｂは、受信した折り返し発信用情報を表示可否信号と共に折り返し発信用情報記憶部５６に記憶させ（ステップＳ１０８）、表示部３２に「着信あり」を示す情報を表示させる（ステップＳ１１０）。
【００２９】
その後、ユーザにより該当する着信履歴に対する発信が操作されると（ステップＳ１１２）、電話機１―Ｂの制御部４２は、選択された着信履歴の着信時刻を用いて折り返し発信用情報記憶部５６を検索し、電話機１―Ｂの電話番号を特定する（ステップＳ１１４）。そして、電話機１―Ｂは特定した電話番号に電話の発信を行い（ステップＳ１１６）、電話機１―Ｂの電話番号に付随して折り返し発信用情報記憶部５６に記憶された表示可否信号に基づいて、発信番号を表示したり、しなかったりする（ステップＳ１１８）。
【００３０】
［まとめ］
以上説明した本実施形態の本発明の電話機、および電話機の制御プログラム（以下、電話機等と称する）によれば、発信側の電話機１が、発信者番号非通知の発信により通話が成立しなかった場合に、自機の電話番号を認識可能な折り返し発信用情報を着信側の電話機に送信し、着信側の電話機１が折り返し発信用情報に基づいて折り返しの発信を行う。これによって、発信者番号非通知の着信に対する折り返しの発信を可能にすることができる。
【００３１】
また、本実施形態の電話機等によれば、発信側の電話機１が、折り返し発信用情報を着信側の電話機１に送信するか否かをユーザに問い合わせ、ユーザの応答に基づいて折り返し発信用情報を着信側の電話機１に送信するか否かを決定する。これによって、発信側の電話機１のユーザが、折り返しの電話発信は不要と判断した場合には、折り返し発信用情報を着信側の電話機１に送信しないようにすることができる。この結果、本来、発信者番号非通知とした意図（相手から何度も電話がかかって来るのを回避したい、など）に沿った制御が行われ、電話機１の利便性、セキュリティ性を向上させることができる。
【００３２】
また、本実施形態の電話機等によれば、発信側の電話機１が、折り返し発信用情報を送信する際に、自機の電話番号を発信先の電話機が表示することを許可するか否かをユーザに問い合わせ、ユーザの応答に基づいて表示可否信号を着信側の電話機１に送信し、着信側の電話機１では、表示可否信号に基づいて、折り返しの発信をする際に発信番号を表示するか否かを決定する。これによって、発信側の電話機１のユーザが、折り返しの電話は欲しいが自分の電話番号を知られたくはないと考えた場合には、それに沿った制御を行うことができる。この結果、本来、発信者番号非通知とした意図（通話をしたいが、その人に自分の電話番号を知られたくない）に沿った制御が行われ、電話機１の利便性、セキュリティ性を向上させることができる。
【００３３】
＜第２実施形態＞
［概略］
以下、第２実施形態に係る電話機等について説明する。図８は、第２実施形態に係る電話機２―Ａおよび２―Ｂの通信環境を示す図である。電話機２―Ａ、２―Ｂは、無線基地局８０や交換機８５などを介して、互いに通話を行うことができ、更に他の電話機との間で通話を行うことができる。また、図８に示すネットワークには、一群の交換機８５を制御するサーバ装置（マスター交換機）９０が接続されている。なお、サーバ装置９０の機能は、いずれかの交換機８５によって代替されることが可能である。
【００３４】
第２実施形態に係るサーバ装置９０は、例えば、通信部９１と、制御部９２と、折り返し発信用情報記憶部９３とを備える。以下、電話機２―Ａおよび２―Ｂのいずれの電話機であるかを区別しないときは、単に電話機２と表記して説明する。第２実施形態に係る電話機２は、折り返し発信用情報記憶部５６を省略することができる。電話機２におけるその他の構成要素の基本的機能については、第１実施形態と同様であるため、説明を省略する。
【００３５】
［発信側の制御］
発信者番号非通知で発信を行った発信側の電話機２は、その発信により通話が成立しなかった場合に（例えば不在通知を受けた場合、または自ら発信がタイムアウトしたと判定した場合）、自機の電話番号を認識可能な情報（折り返し発信用情報）をサーバ装置９０に送信する。
【００３６】
発信側の制御部４２は、折り返し発信用情報を着信側の電話機２に送信するか否かを問い合わせる表示を表示部３２に行わせ、これに対するユーザの応答に基づいて、折り返し発信用情報を着信側の電話機２に送信するか否かを決定する。なお、発信側の電話機２は、このような問い合わせを行わず、固定設定により、或いはデフォルト設定により折り返し発信用情報を着信側の電話機２に送信してもよい。
【００３７】
また、発信側の制御部４２は、折り返し発信用情報を着信側の電話機２に送信するにあたって、自機の電話番号を、着信側の電話機２がそのユーザに表示することを許可するか否かを問い合わせる表示を表示部３２に行わせる。そして、発信側の制御部４２は、これに対するユーザの応答に基づいて、自機の電話番号を着信側の電話機２がそのユーザに表示することを許可するか否かを示す制御信号（「表示可否信号」）を、着信側の電話機２に送信する。なお、このような問い合わせ、および表示可否信号の送信を省略し、自機の電話番号を着信側の電話機２のユーザに表示することを禁止してもよい。
【００３８】
［サーバ装置の制御］
折り返し発信用情報を取得したサーバ装置９０の制御部９２は、これを折り返し発信用情報記憶部９３に記憶させる。そして、サーバ装置９０の制御部９２は、着信側の電話機２からの転送依頼に応じて、折り返し発信用情報を着信側の電話機２に送信する。折り返し発信用情報は、第１実施形態と同様、例えば発信時刻が含まれており、着信側の電話機２からの転送依頼は、着信側の電話機２における着信時刻を指定して行われる。サーバ装置９０の制御部９２は、転送依頼に含まれる着信時刻を用いて折り返し発信用情報記憶部９３を検索し、着信時刻と発信時刻が合致する（タイムラグを考慮して、一定範囲内であるとしてもよい）電話番号を発信側の電話番号として特定し、その電話番号を認識可能な情報を着信側の電話機２に送信する。
【００３９】
［着信側の制御］
発信者番号非通知の着信を受けた着信側の電話機２は、ユーザにより着信履歴の「非通知設定」の欄が選択されて発信操作が行われると、当該「非通知設定」に対応付られた時刻を含む転送依頼をサーバ装置９０に送信する。そして、着信側の電話機２は、サーバ装置９０から受信した折り返し発信用情報に基づいて、発信側の電話機２に対する折り返しの発信を行う。この際に、着信側の電話機２は、発信側の電話機２から受信した表示可否信号に基づいて、発信する電話番号を表示部３２に表示させるか否かを決定する。なお、これに限らず、「非通知設定」に対する折り返しの発信をする際には、発信する電話番号を表示部３２に表示させないものとしてもよい。
【００４０】
［処理シーケンス］
図９は、第２実施形態の電話機、およびサーバ装置９０によって発信者番号非通知の発信に対する折り返し発信が実現される際の処理の流れを示すシーケンス図である。以下の説明では、電話機２―Ａが当初発信側の電話機であり、電話機２―Ｂが当初着信側の電話機であるものとする。
【００４１】
まず、電話機２―Ａが、発信者番号非通知で電話機２―Ｂに電話の発信を行う（ステップＳ２００）。これに対して電話機２―Ｂのユーザが応答操作を行わず、タイムアウトすると（ステップＳ２０２）、電話機２―Ｂは、例えば不在通知を電話機２―Ａに送信する（ステップＳ２０４）。なお、これに代えて、発信側の電話機２―Ａにおいてタイムアウトを判定してもよい。
【００４２】
不在通知を受信すると、電話機２―Ａは、折り返し発信用情報と表示可否信号とをサーバ装置９０に送信する（ステップＳ２０６）。サーバ装置９０は、受信した折り返し発信用情報を表示可否信号と共に折り返し発信用情報記憶部９３に記憶させる（ステップＳ２０８）。
【００４３】
一方、着信側の電話機２―Ｂは、表示部３２に「着信あり」を示す情報を表示させる（ステップＳ２１０）。その後、ユーザにより該当する着信履歴に対する発信が操作されると（ステップＳ２１２）、電話機２―Ｂの制御部４２は、選択された着信履歴の着信時刻を含む転送依頼をサーバ装置９０に送信する（ステップＳ２１４）。
【００４４】
サーバ装置９０は、転送依頼に含まれる着信時刻を用いて折り返し発信用情報記憶部９３を検索し、電話機２―Ｂの電話番号を特定する（ステップＳ２１６）。そして、サーバ装置９０は、特定した電話番号を認識可能な情報（折り返し発信用電話番号）を、該当する発信に係る表示可否信号と共に電話機２―Ｂに送信する（ステップＳ２１８）。
【００４５】
電話機２―Ｂは、受信した折り返し発信用電話番号を用いて電話の発信を行い（ステップＳ２２０）、受信した表示可否信号に基づいて、発信番号を表示したり、しなかったりする（ステップＳ２２２）。
【００４６】
［まとめ］
以上説明した本実施形態の本発明の電話機、サーバ装置、電話機の制御プログラム、および電話システムの制御方法（以下、電話機等と称する）によれば、発信側の電話機２が、発信者番号非通知の発信により通話が成立しなかった場合に、自機の電話番号を認識可能な折り返し発信用情報をサーバ装置９０に送信し、着信側の電話機２が折り返しの発信を行う際には、サーバ装置９０に転送依頼を行って発信側の電話機２の電話番号を取得する。これによって、発信者番号非通知の着信に対する折り返しの発信を可能にすることができる。
【００４７】
また、本実施形態の電話機等によれば、発信側の電話機２が、折り返し発信用情報を着信側の電話機２に送信するか否かをユーザに問い合わせ、ユーザの応答に基づいて折り返し発信用情報を着信側の電話機２に送信するか否かを決定する。これによって、発信側の電話機２のユーザが、折り返しの電話発信は不要と判断した場合には、折り返し発信用情報を着信側の電話機２に送信しないようにすることができる。この結果、本来、発信者番号非通知とした意図（相手から何度も電話がかかって来るのを回避したい、など）に沿った制御が行われ、電話機２の利便性、セキュリティ性を向上させることができる。
【００４８】
また、本実施形態の電話機等によれば、発信側の電話機２が、折り返し発信用情報を送信する際に、自機の電話番号を発信先の電話機が表示することを許可するか否かをユーザに問い合わせ、ユーザの応答に基づいて表示可否信号を着信側の電話機２に送信し、着信側の電話機２では、表示可否信号に基づいて、折り返しの発信をする際に発信番号を表示するか否かを決定する。これによって、発信側の電話機２のユーザが、折り返しの電話は欲しいが自分の電話番号を知られたくはないと考えた場合には、それに沿った制御を行うことができる。この結果、本来、発信者番号非通知とした意図（通話をしたいが、その人に自分の電話番号を知られたくない）に沿った制御が行われ、電話機２の利便性、セキュリティ性を向上させることができる。
【００４９】
また、本実施形態の電話機等によれば、着信側の電話機２において実際に折り返しの発信操作がなされるまで、発信側の電話機２の電話番号を認識可能な情報が着信側の電話機２に送信されないため、発信側の電話機２の電話番号の秘匿性を高め、セキュリティ性を向上させることができる。
【００５０】
＜ハードウェア構成など＞
上記した各実施形態における電話機１、２、サーバ装置９０は、内部にコンピュータシステムを有している。「コンピュータシステム」は、ＣＰＵ（Central  Processing  Unit）、ＲＡＭ等のメモリ装置、ＲＯＭ、ＨＤＤ、フラッシュメモリ等の記憶装置（記憶部５０、折り返し発信用情報記憶部９３）、記憶媒体を装着可能なドライブ装置、周辺機器等のハードウェアを含むものである。
【００５１】
そして、前述した電話機１、２のＤＴＭＦ判定部４０、および制御部４２、サーバ装置９０の制御部９２の動作の過程は、例えば、プログラムの形式でコンピュータ読み取り可能な記録媒体に記憶されており、このプログラムをコンピュータシステムが読み出して実行することによって、上記処理が行われる。なお、上記各機能部の処理が、全てプログラムを実行することによって行われる必要は無く、一部の機能部は、ＩＣ（Integrated  Circuit）やＬＳＩ（Large  Scale  Integration）などのハードウェアによって実現されてもよい。
【００５２】
「コンピュータ読み取り可能な記録媒体」とは、フレキシブルディスク、光ディスク、光磁気ディスク、ＲＯＭ、ＣＤ−ＲＯＭ等の可搬媒体、コンピュータシステムに内蔵されるＨＤＤ等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【００５３】
また上記プログラムは、前述した機能の一部を実現するためのものであっても良く、更に、前述した機能を、コンピュータシステムにすでに記録されているプログラムとの組み合わせで実現できるものであっても良い。
【００５４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００５５】
例えば、上記実施例では、「発信者番号非通知の発信により通話が成立しなかった場合に、」折り返しの発信を可能とするものとしたが、発信者番号非通知の発信に応答して通話を行った後に、もう一度着信側から発信側に折り返しの発信を可能とするようにしてもよい。この場合、着信側の電話機は、ユーザにより着信履歴の「非通知設定」の欄（既に通話を行ったもの）が選択されて発信操作が行われると、当該「非通知設定」に対応付られた時刻を含む転送依頼をサーバ装置９０に送信する。そして、サーバ装置９０から折り返し発信用情報を取得し、当初の発信側の電話機に電話の発信を行う。
【符号の説明】
【００５６】
１、２‥電話機、１０‥無線通信部、２０‥通話部、２２‥スピーカ、２４‥マイクロフォン、３０‥操作部、３２‥表示部、４０‥ＤＴＭＦ判定部、４２‥制御部、５０‥記憶部、５２‥発信履歴記憶部、５４‥着信履歴記憶部、５６‥折り返し発信用情報記憶部、８０‥無線基地局、８５‥交換機、９０‥サーバ装置、９１‥通信部、９２‥制御部、９３‥折り返し発信用情報記憶部
【図１】
2014158107.tif 000003
【図２】
2014158107.tif 000004
【図３】
2014158107.tif 000005
【図４】
2014158107.tif 000006
【図５】
2014158107.tif 000007
【図６】
2014158107.tif 000008
【図７】
2014158107.tif 000009
【図８】
2014158107.tif 000010
【図９】
2014158107.tif 000011